(57)【要約】【課題】  低級機とされる商品販売データ処理装置においても販売金額に応じたサービス提供を簡易的に行う。【解決手段】  商品販売データ処理に関する情報をレシート用紙にプリントしたレシートをプリント発行するレシートプリンタによって、商品販売データ処理における販売金額に応じて発生するスタンプマーク１００のスタンプ枠１０１をレシート用紙に予め設定された規定数プリントしたスタンプレシートＲ１をプリント発行するようにした。【選択図】    図５
2006106942.tif 000002
【特許請求の範囲】
【請求項１】
商品情報を入力する商品情報入力手段と、
前記商品情報入力手段により入力された前記商品情報に基づいて商品販売データ処理を行う商品販売データ処理手段と、
レシートプリンタと、
前記レシートプリンタを駆動することにより前記商品販売データ処理手段が行った商品販売データ処理に関する情報をレシート用紙にプリントしたレシートをプリント発行するレシート発行手段と、
前記レシートプリンタを駆動することにより前記商品販売データ処理手段が行った商品販売データ処理における販売金額に応じて発生するスタンプマークのスタンプ枠を前記レシート用紙に予め設定された規定数プリントしたスタンプレシートをプリント発行するスタンプレシート発行手段と、
を具備する商品販売データ処理装置。
【請求項２】
前記スタンプ枠の前記規定数を設定するスタンプ枠数設定手段を具備する請求項１記載の商品販売データ処理装置。
【請求項３】
前記スタンプレシート発行手段は、前記商品販売データ処理手段による商品販売データ処理における販売金額に応じた数のスタンプマークを前記スタンプ枠に替えてプリントさせる請求項１または２記載の商品販売データ処理装置。
【請求項４】
前記スタンプレシート発行手段は、前記スタンプマークのサイズよりも前記スタンプ枠のサイズを小さくプリントさせる請求項３記載の商品販売データ処理装置。
【請求項５】
商品情報を入力する商品情報入力手段と、
前記商品情報入力手段により入力された前記商品情報に基づいて商品販売データ処理を行う商品販売データ処理手段と、
レシートプリンタと、
前記レシートプリンタを駆動することにより前記商品販売データ処理手段が行った商品販売データ処理に関する情報をレシート用紙にプリントしたレシートをプリント発行するレシート発行手段と、
クーポン金額の入力を受け付けるクーポン金額入力手段と、
クーポン券のプリント発行を宣言するクーポン発行宣言手段と、
前記クーポン発行宣言手段によるクーポン券のプリント発行の宣言に応じて前記レシートプリンタを駆動することにより前記クーポン金額入力手段により入力されたクーポン金額に基づくクーポン情報を前記レシートの発行方向に対し９０度回転させた状態でレシート用紙にプリントした横長のクーポン券をプリント発行するクーポン券発行手段と、
を具備する商品販売データ処理装置。
【発明の詳細な説明】
【技術分野】
【０００１】
本発明は、商品販売データ処理装置に関する。
【背景技術】
【０００２】
従来より、スーパーマーケットやコンビニエンスストア等の小売店においては、販売金額に応じた個数のスタンプを台紙に押印することで販売促進を図るようにしている店舗がある。
【０００３】
また、例えば、取引金額に応じた枚数交付されるスタンプを電子情報化して磁気カードやＩＣカード等の記憶媒体に記憶させるようにした技術がある（例えば、特許文献１参照）。
【０００４】
この他、特定の属性を有する顧客に対して割引券（クーポン券）をプリント発行したり、ポイント加算したりする等の技術がある（例えば、特許文献２参照）。
【０００５】
【特許文献１】特開平５−２５０３８５号公報
【特許文献２】特開２００３−１３２４３０公報
【発明の開示】
【発明が解決しようとする課題】
【０００６】
ところで、商品販売データ処理装置として例えばＥＣＲ（Electric Cash Resister）を用いる場合、特許文献１に記載されているような技術を実現するためには、電子情報化したスタンプを磁気カードやＩＣカード等の記憶媒体に記憶させるための磁気カードリーダライタやＩＣカードリーダライタ等のハードウェアが必要となる。このようにＩＣカードリーダライタ等のハードウェアを備えるＥＣＲは、一般的に高級機とされている。
【０００７】
これに対し、商品販売データ処理の実行を最低限必要とするいわゆる低級機とされる商品販売データ処理装置（例えばＥＣＲ）は、磁気カードリーダライタやＩＣカードリーダライタ等のハードウェアを備えていないのが現状である。このため、低級機とされる商品販売データ処理装置（例えばＥＣＲ）では、特許文献１に記載されているような技術を実現することは困難である。
【０００８】
本発明の目的は、低級機とされる商品販売データ処理装置においても販売金額に応じたサービス提供を簡易的に行うことができるようにすることである。
【課題を解決するための手段】
【０００９】
本発明の商品販売データ処理装置（例えばＥＣＲ）は、商品情報を入力する商品情報入力手段（例えばバーコードスキャナ）と、前記商品情報入力手段により入力された前記商品情報に基づいて商品販売データ処理を行う商品販売データ処理手段と、レシートプリンタと、前記レシートプリンタを駆動することにより前記商品販売データ処理手段が行った商品販売データ処理に関する情報をレシート用紙にプリントしたレシートをプリント発行するレシート発行手段と、前記レシートプリンタを駆動することにより前記商品販売データ処理手段が行った商品販売データ処理における販売金額に応じて発生するスタンプマークのスタンプ枠を前記レシート用紙に予め設定された規定数プリントしたスタンプレシートをプリント発行するスタンプレシート発行手段と、を具備する。
【００１０】
したがって、商品販売データ処理に関する情報をレシート用紙にプリントしたレシートをプリント発行するレシートプリンタによって、商品販売データ処理における販売金額に応じて発生するスタンプマークのスタンプ枠をレシート用紙に予め設定された規定数プリントしたスタンプレシートをプリント発行することができる。
【００１１】
また、本発明の商品販売データ処理装置（例えばＥＣＲ）は、商品情報を入力する商品情報入力手段（例えばバーコードスキャナ）と、前記商品情報入力手段により入力された前記商品情報に基づいて商品販売データ処理を行う商品販売データ処理手段と、レシートプリンタと、前記レシートプリンタを駆動することにより前記商品販売データ処理手段が行った商品販売データ処理に関する情報をレシート用紙にプリントしたレシートをプリント発行するレシート発行手段と、クーポン金額の入力を受け付けるクーポン金額入力手段と、クーポン券のプリント発行を宣言するクーポン発行宣言手段と、前記クーポン発行宣言手段によるクーポン券のプリント発行の宣言に応じて前記レシートプリンタを駆動することにより前記クーポン金額入力手段により入力されたクーポン金額に基づくクーポン情報を前記レシートの発行方向に対し９０度回転させた状態でレシート用紙にプリントした横長のクーポン券をプリント発行するクーポン券発行手段と、を具備する。
【００１２】
したがって、商品販売データ処理に関する情報をレシート用紙にプリントしたレシートをプリント発行するレシートプリンタによって、入力されたクーポン金額に基づくクーポン情報をレシートの発行方向に対し９０度回転させた状態でレシート用紙にプリントした横長のクーポン券を、クーポン券のプリント発行の宣言に応じてプリント発行することができる。
【発明の効果】
【００１３】
本発明によれば、レシートプリンタによってスタンプレシートをプリント発行することができるので、低級機とされる商品販売データ処理装置を導入するような小売店においても販売金額に応じたサービス提供を簡易的に行うことができ、販売促進を図ることができる。
【００１４】
本発明によれば、レシートプリンタによって横長のクーポン券をプリント発行することができるので、低級機とされる商品販売データ処理装置を導入するような小売店においても販売金額に応じたサービス提供を簡易的に行うことができ、販売促進を図ることができる。
【発明を実施するための最良の形態】
【００１５】
本発明の一実施の形態について図１ないし図６を参照して説明する。本実施の形態は、商品販売データ処理装置としてＥＣＲへの適用例を示す。
【００１６】
図１は、本発明の一実施の形態のＥＣＲを示す外観斜視図である。ＥＣＲ１は、ドロワ２上に載置されており、このドロワ２の引出３の開閉を制御する。このＥＣＲ１は、上面にオペレーターの操作を受け付ける操作領域を備えている。操作領域４には各種のキーが集合するキーボード５が設けられている。各種のキーとして、本実施の形態のキーボード５には、商品コード・金額・販売数量等を入力するための置数キー、後述する商品販売データ処理の実行に際して現金による締めを宣言する際に操作される「預／現計」キー、後述するスタンプレシート発行処理の実行を宣言する際に操作される「スタンプレシート」キー、後述するスタンプレシート発行処理の実行に際してスタンプ枠数の設定時に操作される「スタンプ枠」キー、後述するスタンプレシート発行処理の実行に際してプリント発行するスタンプ数の入力時に操作される「スタンプ追加」キー（いずれも図示せず）が設けられている。本実施の形態では、キーボード５が商品情報入力手段としての機能の一部およびスタンプ枠数設定手段としての機能を実現する。
【００１７】
加えて、操作領域４には、図示しない鍵によって切り換え操作されるコントロールキー６、レシートや後述するスタンプレシート(図５参照)を排出するレシート発行口７、およびジャーナル窓８が設けられている。オペレーターから見て、キーボード５およびコントロールキー６は右側の領域、レシート発行口７およびジャーナル窓８は左側の領域にそれぞれ配置されている。
【００１８】
ＥＣＲ１の右側上方には、オペレーター側の表示部として機能するディスプレイ９が配置されている。ディスプレイ９の近傍には、顧客（消費者）側の表示部として機能する表示ユニット１０が立設されている。
【００１９】
さらに、ＥＣＲ１には、商品コードやバーコード等のバーコードを光学的に読み取るためのバーコードスキャナ１１が接続されている。本実施の形態では、バーコードスキャナ１１が商品情報入力手段としての機能の一部を実現する。
【００２０】
次に、ＥＣＲ１に内蔵された各部の電気的接続を図２に基づいて説明する。図２は、ＥＣＲ１に内蔵された各部の電気的接続を示すブロック図である。ＥＣＲ１は、Microcomputer(以下、マイコンという)１３を内蔵し、このマイコン１３が各部を駆動制御する。マイコン１３は、各部を集中的に制御するＣＰＵ(Central Processing Unit)１４に、アドレスバス、データバス等のバスライン１５を介して、起動プログラム等の固定的データを予め格納するＲＯＭ(Read Only Memory)１６と、販売（売上）バッファやプリントバッファ等の各種バッファを構成して各種データを書き換え自在に格納するワークエリアとして機能するＲＡＭ(Random Access Memory)１７と、タイマＴと、が接続されて構成されている。ＲＡＭ１７は、バッテリ（図示しない）でバックアップされている。
【００２１】
ＲＡＭ１７には、後述する商品販売データ処理における販売合計金額を記憶する合計金額バッファ１７ａが確保されている。この合計金額バッファ１７ａには後述するスタンプレシート発行処理の実行直前に行われた商品販売処理における販売合計金額が更新可能な状態で格納され、新たに商品販売処理が実行される毎に更新される。また、ＲＡＭ１７には、後述するスタンプレシート発行処理に際して参照されるスタンプ発行金額や規定スタンプ枠数や発行スタンプ数等を記憶する図示しないバッファが確保されている。
【００２２】
ここで、スタンプ発行金額とは、スタンプマーク１００（図５参照）をプリント発行するために要する販売金額を規定するデータである。後述するスタンプレシート発行処理に際しては、予め設定してあるスタンプ発行金額に応じた数のスタンプマーク１００がプリント発行される。例えば、スタンプ発行金額が５００円に設定されている場合、販売金額が７００円であれば１つのスタンプマーク１００がプリント発行され、販売金額が１０００円であれば２つのスタンプマーク１００がプリント発行される。このスタンプ発行金額は設定変更が可能である。
【００２３】
また、ここで、規定スタンプ枠数とは、例えば景品との交換や所定の割引実施等の何らかの特典を発生させるまでに要するスタンプマーク１００数を規定する数である。この規定スタンプ枠数によって「予め規定された規定数」が規定される。本実施の形態では、このスタンプ枠数の設定変更が可能である。詳細は後述する。
【００２４】
さらに、ここで、発行スタンプ数とは、今回のスタンプレシート発行処理に対応する商品販売データ処理で発生したスタンプマーク１００数と、それ以前に顧客（消費者）に対してプリント発行／押印されているスタンプマーク１００数とを合計した数である。
【００２５】
ＣＰＵ１４に接続されたバスライン１５にはＨＤＤ(Hard Disk Drive)１８が接続されている。特に図示しないが、ＨＤＤ１８には、マイコン１３を動作させる制御プログラム、商品マスタファイル、後述する商品販売データ処理に関する販売履歴情報を記憶する売上ファイル等が格納されている。売上ファイルは、商品コードに対応付けて分類コード、単価、数量、商品名称、割引率等の売上データを一時的に格納するものである。
【００２６】
キーボード５は、キーボード入力回路２０を介してバスライン１５に接続されており、キーボード入力回路２０の動作によって操作されたキーに応じた信号をマイコン１３に入力する。
【００２７】
コントロールキー６は、コントロールキー入力回路２１を介してバスライン１５に接続されており、コントロールキー入力回路２１の動作によって切り換え位置に応じた信号をマイコン１３に入力する。マイコン１３は、コントロールキー６の出力信号に応じて、ＰＯＳ端末１の動作モードを登録モード、設定モード、精算モード、点検モード等の各業務モードに設定する。
【００２８】
ディスプレイ９は、表示制御回路２２を介してバスライン１５に接続されており、マイコン１３からの表示データが表示制御回路２２に入力されると、表示制御回路２２に駆動されて所定事項を表示する。
【００２９】
客側表示ユニット１０は、客側表示制御回路２３を介してバスライン１５に接続されており、マイコン１３からの客側表示データが客側表示制御回路２３に入力されると、客側表示制御回路２３に駆動されて所定事項を表示する。
【００３０】
バーコードスキャナ１１は、スキャナ入力回路２４を介してバスライン１５に接続されており、スキャナ入力回路２４の動作によって読み取った商品コードのデータをマイコン１３に送信する。
【００３１】
また、ＰＯＳ端末１には、マイコン１３によって駆動制御されるレシートプリンタとしてのプリンタ２５が内蔵されている。このプリンタ２５は、プリンタ制御回路２６を介してバスライン１５に接続され、マイコン１３からのプリントデータがプリンタ制御回路２６に入力されると、プリンタ制御回路２６に駆動されてレシート用紙やジャーナル用紙に所定事項をプリントする。さらに、このプリンタ２５には、図示しないカッタ部が内蔵されている。カッタ部は、マイコン１３によって駆動制御され、レシート用紙を所定の位置において切断する。これにより、プリンタ２５は、レシート（図示せず）やスタンプレシートＲ１(図５参照)等をプリント発行する機能を発揮する。
【００３２】
加えて、ＰＯＳ端末１とは別体で設けられたドロワ２も、マイコン１３によって駆動制御される。このドロワ２は、ドロワ制御回路２７を介してバスライン１５に接続され、マイコン１３からの開放信号に応じてドロワ制御回路２７が駆動されてドロワ２の引出３の開放を行う。
【００３３】
次に、ＨＤＤ１８に格納された制御プログラムに基づいてマイコン１３が実行する商品販売処理について図３を参照して説明する。図３に示す商品販売処理は、コントロールキー６の操作により、ＥＣＲ１の動作モードが登録モードに設定されている場合に実行される。
【００３４】
商品販売処理は、商品コードの入力があったと判断するまで待機しており(ステップＳ１のＮ)、商品コードの入力があったと判断した場合には(ステップＳ１のＹ)、キーボード５の操作による「小計」キーの操作があったと判断するまで（ステップＳ３のＮ）商品販売データ処理を実行する(ステップＳ２：商品販売データ処理手段)。
【００３５】
ステップＳ１における商品コードの入力は、バーコードスキャナ１１による商品コードの読み取りや、キーボード５の置数キーの操作によって行われる。
【００３６】
ステップＳ２で実行する商品販売データ処理は、入力された商品コードに基づいて商品マスタファイルを検索し、入力された商品コードに対応する商品情報１０４を取得する。取得した商品情報１０４に基づく販売データをＲＡＭ１７の販売バッファに記憶し、ここまでの小計金額１３０を算出する。また、単価１０２あるいは小計金額１３０等の情報をディスプレイ９や表示ユニット１０に表示させる。
【００３７】
キーボード５の操作による「小計」キーの操作があったと判断した場合には（ステップＳ３のＹ）、キーボード５の操作による「預／現計」キーの操作を待ち（ステップＳ４のＮ）、キーボード５の操作による「預／現計」キーの操作があったと判断した場合に（ステップＳ４のＹ）、締め処理を実行する（ステップＳ５）。
【００３８】
ステップＳ５で実行する締め処理では、販売バッファに記憶した販売データや販売合計金額等で構成されるプリントデータを生成してプリントバッファに展開したり、販売バッファに記憶した販売データ等をＨＤＤ１８の売上ファイルに記憶したりする。また、販売データに基づいて算出される販売合計金額に基づいて釣り銭金額等を算出し、ディスプレイ９および表示ユニット１０に表示させ、ドロワ２の引出３を解放させる。
【００３９】
続いて、ステップＳ５における締め処理に基づいて算出されている販売合計金額をＲＡＭの合計金額バッファ１７ａに格納するとともに（ステップＳ６）、ステップＳ１〜Ｓ２における販売登録処理に基づいてプリントデータを作成し、作成したプリントデータに基づいてプリンタ２５を駆動してレシートをプリント発行する(ステップＳ７：レシート発行手段)。なお、ステップＳ７でプリント発行されるレシートは一般的なレシートであるためここでは図示および説明を省略するが、レシート用紙の長手方向（排出方向）をデータの上下方向としてプリントされたレシートがプリント発行される。
【００４０】
次に、ＨＤＤ１８に格納された制御プログラムに基づいてマイコン１３が実行するスタンプレシート発行処理について図４を参照して説明する。図４に示すスタンプレシート発行処理は、図３に示すような一の商品販売処理に一のスタンプレシート発行処理として、一対一で対応しており、一の商品販売処理が終了してから次の商品販売処理が開始される直前までの間に実行される。
【００４１】
スタンプレシート発行処理は、キーボード５の操作による「スタンプレシート」キーの操作があったと判断するまで待機しており(ステップＳ１０のＮ)、キーボード５の操作による「スタンプレシート」キーの操作があったと判断した場合には(ステップＳ１０のＹ)、「スタンプレシート」キーの操作があったと判断する直前に実行された商品販売処理における販売金額に応じたスタンプマーク１００数を取得する（ステップＳ１１）。
【００４２】
続いて、キーボード５の操作による「スタンプ枠」キーの操作があったと判断するまで、あるいは、キーボード５の操作による「スタンプ追加」キーの操作があったと判断するまで待機する（ステップＳ１２のＮ，ステップＳ１５のＮ）。
【００４３】
オペレーターは、キーボード５の操作により「スタンプ枠」キーを操作した後、キーボード５（置数キー）の操作によって規定スタンプ枠数を入力する。
【００４４】
「スタンプ枠」キーの操作があったと判断した場合（ステップＳ１２のＹ）、キーボード５（置数キー）の操作による規定スタンプ枠数の入力を待機し（ステップＳ１３のＮ）、キーボード５（置数キー）の操作による規定スタンプ枠数が入力された場合には（ステップＳ１３のＹ）入力された規定スタンプ枠数をＲＡＭ１７のバッファに格納する（ステップＳ１４）。
【００４５】
本実施の形態においては、「スタンプ枠」キーの操作の後、オペレーターが任意の数値を入力することで規定スタンプ枠数を任意に設定することができる。このため、運用上、ある期間における規定スタンプ枠数を例えば１０と設定した場合にも、これとは別の期間における規定スタンプ枠数を例えば３０に設定することができる。
【００４６】
なお、規定スタンプ枠数の入力は、スタンプレシート発行処理毎に行うようにしてもよいし、規定スタンプ枠数の設定に変更があったときには改めて入力するようにしてもよい。規定スタンプ枠数の設定に変更があったときには改めて入力するようにする場合、規定スタンプ枠数の設定に変更がない場合には「スタンプ枠」キーの操作を省略したり、「スタンプ枠」キーを操作してもその後に「スタンプ追加」キーを操作することで前回の設定を維持するようにしたりしてもよい。このような場合、規定スタンプ枠数は、ある商品販売処理が行われた後に別の商品販売処理が行われた場合にも消去されることがないように、バッファではなく予め確保された所定のメモリに記憶される。
【００４７】
また、オペレーターは、キーボード５の操作により「スタンプ追加」キーを操作した後、キーボード５（置数キー）の操作によって発行スタンプ数を入力する。
【００４８】
「スタンプ追加」キーの操作があったと判断した場合（ステップＳ１５のＹ）、キーボード５（置数キー）の操作による発行スタンプ数の入力を待機し（ステップＳ１６のＮ）、キーボード５（置数キー）の操作による発行スタンプ数が入力された場合には（ステップＳ１６のＹ）、キーボード５の操作による「預／現計」キーの操作があったと判断するまで待機する（ステップＳ１７のＮ）。
【００４９】
なお、上述したように、発行スタンプ数とは、今回のスタンプレシート発行処理に対応する商品販売データ処理で発生したスタンプマーク１００数と、それ以前に顧客（消費者）に対してプリント発行されているスタンプマーク１００数とを合計した数であるため、運用上は、今回のスタンプレシート発行処理以前にプリント発行されているスタンプマーク１００数を証明するものとして顧客（消費者）から、既にプリント発行されているスタンプレシートを回収する必要がある。例えば、今回のスタンプレシート発行処理以前にプリント発行されているスタンプマーク１００数（発行スタンプ数）が「３」である場合、オペレーターは「スタンプ追加」キーの操作の後「３」を入力し、入力した発行スタンプ数の確定を宣言するために「預／現計」キーを操作する。なお、初回のプリントレシートプリント発行処理に際しては、オペレーターは「スタンプ追加」キーの操作の後「０」を入力し、「預／現計」キーを操作するものとする。
【００５０】
キーボード５の操作による「預／現計」キーの操作があったと判断した場合には(ステップＳ１７のＹ)、バッファに設定された規定スタンプ枠数と追加スタンプ数および今回発生したスタンプマーク１００数とに基づいてプリンタを駆動して図５に示すようなスタンプレシートＲ１をプリント発行する（ステップＳ１８）。スタンプレシートＲ１には、図５に示すように、商品販売データ処理における販売金額に応じて発生するスタンプマーク１００と、次回の取引以降に発生するスタンプマーク１００の配列位置を案内するスタンプ枠１０１とがプリントされている。スタンプ枠１０１は、予め設定された規定数、すなわち規定プリント枠数プリントされている。ここに、商品販売データ処理における販売金額に応じた数のスタンプマーク１００をスタンプ枠１０１に替えてプリントさせるスタンプレシート発行手段としての機能が実現される。
【００５１】
なお、本実施の形態では、商品販売データ処理での販売金額に応じて発生する数のスタンプマーク１００がプリントされたスタンプレシートＲ１をプリント発行するようにしたが、スタンプマーク１００はなくスタンプ枠１０１のみがプリントされたスタンプレシートＲ２（図６参照）をプリント発行することも可能である。このようなスタンプ枠１０１のみがプリントされたスタンプレシートＲ２をプリント発行することにより、手作業でスタンプを押印する形態のスタンプサービスを行うことが可能になる。
【００５２】
このように、本実施の形態によれば、低級機とされる商品販売データ処理装置であるＥＣＲ１においてもスタンプレシートＲ１，Ｒ２のプリント発行を簡易的に行うことができるので、低級機とされるＥＣＲ１を導入するような小売店においても販売金額に応じたスタンプサービスを提供することができ、販売促進を図ることができる。
【００５３】
また、本実施の形態の商品販売データ処理装置であるＥＣＲ１によれば、単一のスタンプレシートＲ１内にスタンプマーク１００以外にスタンプ枠１０１をプリントすることで、全体に対するスタンプマーク１００のプリント発行度合いが視認できるため、特典付与までにあとどれ位のスタンプマーク１００を集めればよいのか、すなわちあといくら以上買い物をすればよいのかを容易に伝達することができる。また、これにより購買意欲を刺激して更なる販売促進を図ることができる。
【００５４】
なお、図５に示すスタンプレシートＲ１には１種類のスタンプマーク１００がプリントされているが、例えば、図４のステップＳ１５において「スタンプ追加」キーの操作があったと判断した場合、その後のキーボード５（置数キー）の操作により入力された発行スタンプ数のスタンプマーク１００と直前に行われた商品販売処理で発生した数のスタンプマーク１００とを異なる形態でプリントしたスタンプレシート（図示せず）を発行するようにしてもよい。
【００５５】
このようなスタンプレシートを発行することによって、今回の商品販売処理で発生したスタンプマークの個数を顧客（消費者）に案内することができる。また、既に発行されている数のスタンプマーク１００が今回のスタンプレシートに正しくプリントされているかを確認させることができ、顧客（消費者）の店舗に対する信頼性の向上を図る効果が期待できる。
【００５６】
次に、本発明の別の実施の形態について図７を参照して説明する。なお、上述した実施の形態と同一部分は同一符号で示し、説明も省略する。以下、同様とする。
【００５７】
本実施の形態では、上述した図４のステップＳ１８において、スタンプマーク１００のサイズよりもスタンプ枠１０２のサイズを小さくプリントさせる（スタンプレシート発行手段）。これによって、図７に示すように、スタンプマーク１００のサイズよりも小さいサイズのスタンプ枠１０２がプリントされたスタンプレシートＲ３がプリント発行される。
【００５８】
これによって、スタンプマーク１００のサイズと同サイズのスタンプ枠１０１がプリントされたスタンプレシートＲ１と比較してスタンプレシートＲ３の長さを短くするとともに、レシート用紙の消費を節約することができる。これによって、全体に対するスタンプマーク１００の度合いを視認させながらも、レシート用紙の消費量低減を図ることができる。
【００５９】
次に、本発明の別の実施の形態について図８および図９を参照して説明する。特に図示しないが、本実施の形態のキーボード５には、操作されることにより図８に示すようなクーポン券Ｃのプリント発行を宣言するクーポン発行宣言手段としての「クーポン発行」キーが設けられている。本実施の形態では、キーボード５がクーポン金額入力手段としての機能を実現する。
【００６０】
本実施の形態のＨＤＤ１８には、図９に示すようなクーポン発行ファイル１０３が格納されている。このクーポン発行ファイル１０３は、一取引でプリント発行したクーポン券Ｃの点数を記憶するエリア１０４と、プリント発行したクーポン券Ｃの金額を記憶するエリア１０５とが確保されている。クーポン発行ファイル１０３には、上述した商品販売データ処理の実行に際してクーポン券Ｃがプリント発行される毎に、プリント発行したクーポン券Ｃの点数と、プリント発行したクーポン券Ｃの金額とが書き込まれる。
【００６１】
本実施の形態のＥＣＲ１では、オペレーターによるキーボード５の操作によってクーポン金額が入力された状態で「クーポン発行」キーが操作されることにより、入力された金額のクーポン券Ｃをプリント発行することができる。ここに、クーポン券発行手段が実現される。  
クーポン券には、図８に示すように、入力されたクーポン金額等のクーポン情報１０６がプリントされている。クーポン券Ｃは、商品販売データ処理に際してプリント発行される図示しないレシートがレシート用紙の長手方向（排出方向）をデータの上下方向としてプリントされているのに対し、クーポン情報１０６がレシートの発行方向に対し９０度回転させた状態でプリントされた横長の状態でプリント発行される。
【００６２】
このように、本実施の形態によれば、低級機とされる商品販売データ処理装置であるＥＣＲ１においてもクーポン券Ｃのプリント発行を簡易的に行うことができるので、低級機とされるＥＣＲ１を導入するような小売店においても販売金額に応じたサービス提供を簡易的に行うことができ、販売促進を図ることができる。
【００６３】
また、クーポン情報１０６がレシートの発行方向に対し９０度回転させた状態でプリントされた横長のクーポン券Ｃとすることで、プリントされている情報の視認性を良好なものとするとともに、レシートとの相違を明確にすることで誤って廃棄されてしまうことを防止することができる。
【００６４】
なお、本実施の形態においては、スタンプレシートＲ１，Ｒ２，Ｒ３のプリント発行機能とクーポン券Ｃのプリント発行機能とを併せ持つＥＣＲ１として説明したが、これに限るものではなく、スタンプレシートＲ１，Ｒ２，Ｒ３のプリント発行機能は持たずクーポン券Ｃのプリント発行機能のみを有するＥＣＲとしての実施も可能である。
【図面の簡単な説明】
【００６５】
【図１】本発明の一実施の形態のＥＣＲを示す外観斜視図である。
【図２】ＥＣＲに内蔵された各部の電気的接続を示すブロック図である。
【図３】ＨＤＤに格納された制御プログラムに基づいてマイコンが実行する商品販売処理を概略的に示すフローチャートである。
【図４】ＨＤＤに格納された制御プログラムに基づいてマイコンが実行するスタンプレシート発行処理を概略的に示すフローチャートである。
【図５】スタンプレシートを示す正面図である。
【図６】別のスタンプレシートを示す正面図である。
【図７】本発明の別の実施の形態におけるスタンプレシートを示す正面図である。
【図８】本発明の別の実施の形態におけるクーポン券を示す正面図である。
【図９】クーポン発行ファイルを示すイメージ図である。
【符号の説明】
【００６６】
１：商品販売データ処理装置、５：商品情報入力手段，スタンプ枠数設定手段，クーポン金額入力手段，クーポン発行宣言手段、２５：レシートプリンタ、ステップＳ２：商品販売データ処理手段、ステップＳ７：レシート発行手段、ステップＳ１８：スタンプレシート発行手段    
【図１】
2006106942.tif 000003
【図２】
2006106942.tif 000004
【図３】
2006106942.tif 000005
【図４】
2006106942.tif 000006
【図５】
2006106942.tif 000007
【図６】
2006106942.tif 000008
【図７】
2006106942.tif 000009
【図８】
2006106942.tif 000010
【図９】
2006106942.tif 000011